(57)【要約】  本開示は、少なくとも１つのリモート無線ヘッド（１０４）の信号を処理するためのベースバンド処理アセンブリ（１００、２００、３００）に関するものであり、少なくとも１つのリモート無線ヘッド（１０４）は、セルラー方式通信システムの無線セル（１０５）にサービスしており、ベースバンド処理アセンブリ（１００、２００、３００）は、ユーザ・パケット・スケジューラ（１０７Ａ〜Ｍ）の組と、セル・パケット・スケジューラ（１０９）とを備えており、そこでは、セル・パケット・スケジューラ（１０９）は、無線セル（１０５）に割り当てられ、そこでは、ユーザ・パケット・スケジューラ（１０７Ａ〜Ｍ）の組は、無線セル（１０５）に関連するユーザ（１０１Ａ〜Ｎ）のグループに割り当てられ、そこでは、セル・パケット・スケジューラ（１０９）と、ユーザ・パケット・スケジューラ（１０７Ａ〜Ｍ）の組のうちの第１のユーザ・パケット・スケジューラ（１０７Ａ〜Ｍ）とは、リソース割り当て情報を提供し、またリソース割り当て情報を使用してユーザのグループのうちの第１のユーザ（１０１Ａ〜Ｎ）とのチャネル（１０２）を確立するために、データを相互に交換するように動作可能である。
2016532403.tif 000002
【特許請求の範囲】
【請求項１】
少なくとも１つのリモート無線ヘッド（１０４）の信号を処理するためのベースバンド処理アセンブリ（１００、２００、３００）であって、前記少なくとも１つのリモート無線ヘッド（１０４）は、セルラー方式通信システムの無線セル（１０５）にサービスしており、前記ベースバンド処理アセンブリ（１００、２００、３００）は、ユーザ・パケット・スケジューラ（１０７Ａ〜Ｍ）の組と、セル・パケット・スケジューラ（１０９）とを備えており、前記セル・パケット・スケジューラ（１０９）は、前記無線セル（１０５）に割り当てられ、ユーザ・パケット・スケジューラ（１０７Ａ〜Ｍ）の前記組は、前記無線セル（１０５）に関連するユーザ（１０１Ａ〜Ｎ）のグループに割り当てられ、前記セル・パケット・スケジューラ（１０９）と、ユーザ・パケット・スケジューラ（１０７Ａ〜Ｍ）の前記組のうちの第１のユーザ・パケット・スケジューラ（１０７Ａ〜Ｍ）とは、リソース割り当て情報を提供し、また前記リソース割り当て情報を使用してユーザの前記グループのうちの第１のユーザ（１０１Ａ〜Ｎ）とのチャネル（１０２）を確立するために、データを相互に交換するように動作可能である、ベースバンド処理アセンブリ（１００、２００、３００）。
【請求項２】
前記ベースバンド処理アセンブリ（２００、３００）は、少なくとも第１および第２のＢＢＵ（２００Ａ、２００Ｂ）を備えており、前記第１のＢＢＵ（２００Ａ）は、前記セル・パケット・スケジューラ（１０９）と、ユーザ・パケット・スケジューラ（１０７Ａ〜Ｍ）の前記組のうちの第１のサブセット（１０７Ａ〜Ｇ）とを備えており、前記第２のＢＢＵ（２００Ｂ）は、ユーザ・パケット・スケジューラ（１０７Ａ〜Ｍ）の前記組のうちの第２のサブセット（１０７Ｈ〜Ｊ）を備えており、前記第１のＢＢＵ（２００Ａ）は、前記無線セル（１０５）にサービスする、請求項１に記載のベースバンド処理アセンブリ。
【請求項３】
前記少なくとも第１および第２のＢＢＵ（２００Ａ、２００Ｂ）は、ユーザ・パケット・スケジューラ（１０７Ｈ〜Ｊ）の前記第２のサブセットと、前記セル・パケット・スケジューラ（１０９）との間でデータを交換するために内部の低レイテンシ・リンク（２２２）を経由してリンクされる、請求項２に記載のベースバンド処理アセンブリ。
【請求項４】
前記少なくとも第１および第２のＢＢＵ（２００Ａ、３０１Ｃ）は、ユーザ・パケット・スケジューラ（３０７Ｋ〜Ｍ）の前記第２のサブセットと、前記セル・パケット・スケジューラ（１０９）との間でデータを交換するために、低レイテンシ・バックホール・リンクを経由してリンクされる、請求項２に記載のベースバンド処理アセンブリ。
【請求項５】
前記無線セル（１０５）は、第１の無線セルであり、前記第２のＢＢＵ（２００Ｂ）は、第２の無線セルにサービスしており、前記第１および第２の無線セルは、スモール・セルと、マクロ・セルとのうちの一方である、請求項２乃至４のいずれか１項に記載のベースバンド処理アセンブリ。
【請求項６】
前記第１および／または第２のＢＢＵ（２００Ａ、２００Ｂ）のユーザ・データ・プロセッサ（１１１、２１１、３１１）に前記第１のユーザ（１０１Ａ）の処理タスクを割り当てるように動作可能な負荷分散器（１０３）をさらに備える、請求項２乃至５のいずれか１項に記載のベースバンド処理アセンブリ。
【請求項７】
前記リソース割り当て情報は、少なくとも１つの無線アクセス技術に従って提供される、請求項１乃至６のいずれか１項に記載のベースバンド処理アセンブリ。
【請求項８】
前記第１のユーザ・パケット・スケジューラ（１０７Ａ〜Ｍ）は、
−  前記第１のユーザ（１０１Ａ〜Ｎ）についてのスケジューリング状態情報を受信し、
−  前記受信されたスケジューリング状態情報を処理し、それによって前記チャネル（１０２）の上のデータ送信のための変調スキームと、符号化スキームと、アンテナ選択とを決定し、
−  前記の変調スキームと、符号化スキームと、アンテナ選択とを示すリソース・メッセージを前記セル・スケジューラに対して送信し、
−  前記チャネルについての無線リソース・ブロック情報と、前記の決定されたＭＣＳとアンテナ選択とについての確認とを示す応答を前記セル・スケジューラから受信する
ように動作可能であり、前記リソース割り当て情報は、前記のＭＣＳ情報と、アンテナ選択情報と、前記無線リソース・ブロック情報とを含む、請求項１乃至７のいずれか１項に記載のベースバンド処理アセンブリ。
【請求項９】
前記第１のユーザ・パケット・スケジューラ（１０７Ａ〜Ｍ）は、さらに、
−前記リソース割り当て情報を使用して、前記チャネル（１０２）を確立するために必要とされる処理リソースを決定し、
−  前記ベースバンド処理アセンブリのローカル・リソース・マネージャ（ＬＲＭ）（１２１）に対して、前記決定された処理リソースを示すリソース要求メッセージを送信し、
−  前記ＬＲＭ（１２１）からリソース認可メッセージを受信する
ように動作可能である、請求項８に記載のベースバンド処理アセンブリ。
【請求項１０】
前記セル・パケット・スケジューラ（１０９）は、
−  ユーザ・パケット・スケジューラの前記組のうちのそれぞれ割り当てられたユーザ・パケット・スケジューラからユーザ（１０１Ａ〜Ｎ）の前記グループのうちの各ユーザについての割り付け優先順位を受信し、
−  前記割り付け優先順位によってユーザの前記グループをソートし、
−  使用可能な無線リソースが、ユーザの前記グループのために十分ではないという決定に応じて、最低の割り付け優先順位を有するユーザの前記グループのうちのユーザのサブグループを選択し、また
・前記サブグループのユーザを除外すること、
・ユーザの前記サブグループについての前記の変調スキームと、符号化スキームとを修正すること、
・ユーザの前記サブグループについての前記アンテナ選択を修正すること
のうちの１つを実行する
ように動作可能である、請求項８または９に記載のベースバンド処理アセンブリ。
【請求項１１】
前記チャネル（１０２）が、ダウンリンク・チャネルである場合には、前記受信されたスケジューリング状態情報は、前記第１のユーザのチャネル品質インジケータ（ＣＱＩ）を含むチャネル・ステート情報（ＣＳＩ）、必要とされる再送信の場合の否定応答（ＮＡＣＫ）インジケータ、および事前符号化行列インジケータ（ＰＭＩ）と、おのおのが前記チャネルについての性能特性を含む前記チャネルについてのランク・インジケータ、すなわち、経験品質（ＱｏＥ）メトリクスと、前記チャネルの無線リンク制御（ＲＬＣ）バッファ・サイズとを含む、請求項８、９、または１０に記載のベースバンド処理アセンブリ。
【請求項１２】
前記チャネル（１０２）が、アップリンク・チャネルである場合には、前記受信されたスケジューリング情報は、前記第１のユーザのＣＱＩを含むＣＳＩと、ＰＭＩと、前記第１のチャネルについてのランク・インジケータと、必要とされる再送信の場合のＮＡＣＫインジケータと、少なくとも１つのアップリンク成分キャリアについてのスケジューリング要求と、前記第１のユーザのバッファ・ステータス報告とを含む、請求項８、９、または１０に記載のベースバンド処理アセンブリ。
【請求項１３】
請求項１による、第１のベースバンド・アセンブリ（２００）と、第２のベースバンド・アセンブリ（３０１）とを備えるマルチ・ベースバンド処理アセンブリ・システム（３００）であって、前記の第１のベースバンド・アセンブリと、第２のベースバンド・アセンブリとは、前記第２のベースバンド・アセンブリのユーザ・パケット・スケジューラの前記第１の組と、前記第１のセル・パケット・スケジューラとの間で交換されるデータを使用して、前記第２のベースバンド・アセンブリのユーザ・パケット・スケジューラの前記第２の組と、前記第１のベースバンド処理アセンブリによってサービスされる第１の無線セルに対応するユーザのグループのためにリソースを割り当てるための前記第１のベースバンド・アセンブリの前記セル・パケット・スケジューラとの間で、データを交換するために、低レイテンシ・バックホール・リンクを経由してリンクされる、マルチ・ベースバンド処理アセンブリ・システム（３００）。
【請求項１４】
ベースバンド処理アセンブリ（１００、２００、３００）における少なくとも１つのリモート無線ヘッド（１０４）の信号を処理するための方法であって、前記少なくとも１つのリモート無線ヘッド（１０４）は、セルラー方式通信システムの無線セル（１０５）にサービスしており、前記ベースバンド処理アセンブリ（１００、２００、３００）は、ユーザ・パケット・スケジューラ（１０７Ａ〜Ｍ）の組と、セル・パケット・スケジューラ（１０９）とを備えており、前記セル・パケット・スケジューラ（１０９）は、前記無線セル（１０５）に割り当てられ、ユーザ・パケット・スケジューラ（１０７Ａ〜Ｍ）の前記組は、前記無線セル（１０５）に関連するユーザ（１０１Ａ〜Ｎ）のグループに割り当てられ、前記方法は、前記セル・パケット・スケジューラ（１０９）と、前記第１のユーザ・パケット・スケジューラ（１０７Ａ〜Ｍ）との間でデータを交換するステップと、リソース割り当て情報を提供するステップ、および前記リソース割り当て情報を使用してユーザ（１０１Ａ〜Ｎ）の前記グループのうちの前記第１のユーザとのチャネル（１０２）を確立するステップとを含む、方法。
【請求項１５】
請求項１４に記載の方法についての前記方法ステップを実行するコンピュータ実行可能命令を含むコンピュータ・プログラム製品。
【発明の詳細な説明】
【技術分野】
【０００１】
本開示は、電気通信システムに関し、またより詳細には、低レイテンシ・バックホールのためのモバイル・クラウドについてのスケジューラの仮想化に関する。
【背景技術】
【０００２】
モバイル・クラウド無線アクセス・ネットワーク（ＲＡＮ：ｒａｄｉｏ  ａｃｃｅｓｓ  ｎｅｔｗｏｒｋ）環境は、中央集中されたスケジューリング構造を使用して、プーリング能力を用いて、リモート無線ヘッドの異なるクラスタのためのベースバンド処理を管理するいくつかの協力するマルチ・サイト・マルチ・スタンダード・ベースバンド・ユニットから構成される。
【発明の概要】
【発明が解決しようとする課題】
【０００３】
様々な実施形態は、独立請求項の主題によって説明されるように、改善されたベースバンド・アセンブリと、改善されたマルチ・ベースバンド・アセンブリと、改善された方法と、コンピュータ・プログラム製品とを提供する。有益な実施形態が、従属請求項において説明される。
【０００４】
本明細書において使用されるような用語「チャネル」または「ベアラ」は、ネットワーク（ＲＡＮなど）における無線の、ワイヤレス送信経路のことを指しており、またこの「チャネル」または「ベアラ」を使用して、ユーザ（例えば、ユーザ機器）データ・トラフィックを搬送する。
【０００５】
本明細書において使用されるような用語「ユーザ・データ・プロセッサ」（ＵＰ：ｕｓｅｒ  ｄａｔａ  ｐｒｏｃｅｓｓｏｒ）は、関連した無線アクセス技術においてユーザ処理の完全なレイヤ化されたスタックを処理する様々な機能またはアルゴリズムのことを指す。
【０００６】
本明細書において使用されるような用語「ユーザ」は、例えば、ワイヤレス通信を行うことができるユーザ機器、ポータブル・デバイス、またはモバイル・デバイス、ワイヤレス通信を行うことができるポータブル通信デバイスまたはモバイル通信デバイス、ワイヤレス通信を行うことができるモバイル電話、セルラー方式電話、ラップトップ・コンピュータまたはノードブック・コンピュータ、ワイヤレス通信を行うことができるＰＤＡ、ワイヤレス通信を行うことができるハンドヘルド・デバイスなどのことを指す。
【０００７】
用語「ＨＡＲＱ」は、ハイブリッド自動反復要求（Ｈｙｂｒｉｄ  Ａｕｔｏｍａｔｉｃ  Ｒｅｐｅａｔ  Ｒｅｑｕｅｓｔ）を表す。
用語「ＡＣＫ」は、肯定応答を表す。
用語「ＮＡＣＫ」は、否定的な肯定応答または否定応答を表す。
用語「ＣＣＥ」は、制御チャネル要素（Ｃｏｎｔｒｏｌ  Ｃｈａｎｎｅｌ  Ｅｌｅｍｅｎｔ）を表す。
用語「Ｍｕ−ＭＩＭＯ」は、マルチ・ユーザの多入力多出力（ｍｕｌｔｉ−ｕｓｅｒ  ｍｕｌｔｉｐｌｅ−ｉｎｐｕｔ  ａｎｄ  ｍｕｌｔｉｐｌｅ−ｏｕｔｐｕｔ）を表す。
用語「ＤＬ」は、ダウンリンク（ｄｏｗｎｌｉｎｋ）を表す。
用語「ＵＬ」は、アップリンク（ｕｐｌｉｎｋ）を表す。
用語「ＴＴＩ」は、送信時間間隔（Ｔｒａｎｓｍｉｓｓｉｏｎ  Ｔｉｍｅ  Ｉｎｔｅｒｖａｌ）を表す。
【課題を解決するための手段】
【０００８】
いくつかの実施形態は、少なくとも１つのリモート無線ヘッドの信号を処理するためのベースバンド処理アセンブリを提供しており、その少なくとも１つのリモート無線ヘッドは、セルラー方式通信システムの無線セルにサービスしており、そのベースバンド処理アセンブリは、ユーザ・パケット・スケジューラの組と、セル・パケット・スケジューラとを備えており、そこでは、セル・パケット・スケジューラは、無線セルに割り当てられ、そこでは、ユーザ・パケット・スケジューラの組は、無線セルに関連するユーザのグループに割り当てられ、そこでは、セル・パケット・スケジューラと、ユーザ・パケット・スケジューラの組のうちの第１のユーザ・パケット・スケジューラとは、リソース割り当て情報を提供し、またそのリソース割り当て情報を使用してユーザのグループのうちの第１のユーザとのチャネルを確立するために、データを相互に交換するように動作可能である。
【０００９】
一実施形態によれば、ユーザ・パケット・スケジューラの組は、ベースバンド処理アセンブリの処理要素のそれぞれの組の上で実行されることもある。
【００１０】
例えば、リソース割り当て情報は、確立されたチャネルのために、提供され、かつ／または使用されることもある。
【００１１】
ユーザ・パケット・スケジューラの組は、ユーザのグループにサービスするための無線セルに関連するユーザのグループに割り当てられる。ユーザにサービスするステップは、ユーザのチャネルにサービスするステップを含んでいる。
【００１２】
ユーザ・パケット・スケジューラの組は、同じ、または異なるユーザ・パケット・スケジューラのインスタンスとして生成されることもある。インスタンスは、ユーザのグループのうちのあるユーザが、リモート無線ヘッド（ＲＲＨ：ｒｅｍｏｔｅ  ｒａｄｉｏ  ｈｅａｄ）に接続されるとすぐに、生成されることもある。
【００１３】
例えば、制御データの交換は、リソース割り当て情報を提供し、またそのリソース割り当て情報を使用してユーザのグループのうちのチャネルを確立するために、ユーザ・データ・パケット・スケジューラの組と、セル・パケット・スケジューラとの間で実行されることもある。
【００１４】
これらの特徴は、それらが、そうでなければ、分散化されたユーザ・データ・プロセッサ部分に接続される中央集中されたスケジューラの場合に、必要とされることになる複数の相互接続を防止することができるので、有利になる可能性がある。例えば、中央集中されたスケジューラは、それらのユーザからスケジューリング情報を取得するためなど、ユーザ・データ・プロセッサ部分に対して非常に多数の相互作用を必要とする可能性がある。これらの相互作用は、送信されたパケットが、少なくとも８ｍｓ以内にＡＣＫ／ＮＡＣＫを必要とするというＨＡＲＱタイミング要件に違反する可能性のあるアドオン・レイテンシを引き起こす可能性がある。
【００１５】
これらの特徴は、ベースバンド・ユニットの内部のユーザ・スケジューラのうちの、またはベースバンド・ユニットのうちの任意の中央スケジューラ機能のための負荷バランシング能力および／または分散能力を提供することができる。そのような分散またはバランシングは、全体のスケジューリング・プロセスをスピードアップすることができる分散型スケジューラの並列実行またはインターリーブされた実行を可能にすることができる。
【００１６】
例えば、ユーザ・スケジューラのマルチ・スレッド実行は、単一の処理要素の上、または複数の処理要素の上のいずれかで提供される可能性がある。
【００１７】
別の利点は、本実施形態が、そのより微細な細分性に起因して、より高いプーリング利得を達成することができる、スケジューリング・ベースの仮想化を提供することができることである可能性がある。これは、ベースバンド処理アセンブリの内部の処理要素についてのより良い利用を保証することができる。
【００１８】
別の利点は、全般的なスケジューリング・プロセスをスピードアップする可能性がある、セルに関連したスケジューリング部分における処理の必要性が、最小限にされ得ることである可能性がある。
【００１９】
これらの特徴は、無線セルのアップリンク無線信号と、ダウンリンク無線信号とが、少なくとも１つの処理要素の上で同時にスケジュールされることを可能にすることができ、それによって処理リソースの利用を最大にし、また柔軟な処理リソースの割り付け戦略をサポートする。
【００２０】
一実施形態によれば、ベースバンド処理アセンブリは、少なくとも第１および第２のベースバンド・ユニット、ＢＢＵ、を備えており、そこでは、第１のベースバンド・ユニットは、セル・パケット・スケジューラと、ユーザ・パケット・スケジューラの組のうちの第１のサブセットとを備えており、そこでは、第２のベースバンド・ユニットは、ユーザ・パケット・スケジューラの組のうちの第２のサブセットを備えており、そこでは、第１のベースバンド・ユニットは、無線セルにサービスする。
【００２１】
第１のＢＢＵは、少なくとも１つのリモート無線ヘッドの信号を処理することにより、無線セルにサービスする。
【００２２】
この実施形態は、それが、単一のＢＢＵの内部の処理要素のうちの、またはＢＢＵのうちの任意のスケジューラ機能のための処理能力についてのオフローディング／負荷バランシング能力を提供することができるので、有利である可能性がある。
【００２３】
別の利点は、ＢＢＵが、さらに一緒に接続されて、リソース・プーリングにおいて、また低トラフィック・エリアから高トラフィック・エリアへとベースバンド処理をシフトする能力において、より高い柔軟性を達成することができることである可能性がある。これは、プーリング能力なしに、ＢＢＵに対してしっかりと結合される複数の無線ユニットからなる従来の方法とは、対照的なものである。
【００２４】
一実施形態によれば、少なくとも第１および第２のベースバンド・ユニットは、ユーザ・パケット・スケジューラの第２のサブセットと、セル・パケット・スケジューラとの間でデータを交換するために内部の低レイテンシ・リンクを経由してリンクされる。
【００２５】
一実施形態によれば、少なくとも第１および第２のＢＢＵは、ユーザ・パケット・スケジューラの第２のサブセットと、セル・パケット・スケジューラとの間でデータを交換するために、低レイテンシ・バックホール・リンクを経由してリンクされる。
【００２６】
これらの実施形態は、それらが、高レイテンシ接続に比べて、より低い移送レイテンシを提供することができるので、有利である可能性がある。
【００２７】
用語「レイテンシ・リンク」は、データのソースからのデータの、リンクの上の送信と、ソースにおける肯定応答の受信とにおけるラウンド・トリップ・タイム（ＲＴＴ：ｒｏｕｎｄ  ｔｒｉｐ  ｔｉｍｅ）遅延のことを指す。
【００２８】
本明細書において使用される場合、用語「低レイテンシ」は、セルラー方式通信システムのネットワーク（例えば、ＲＡＮ）の内部の所定の最大許容移送遅延よりも小さなレイテンシ値のことを意味する。
【００２９】
例えば、ＬＴＥの場合に、低レイテンシは、既存の基地局処理遅延に応じて数百マイクロ秒のものである可能性がある。この例では、リンク・レイテンシは、以下の条件を、すなわち、リンク・レイテンシ＝８ｍｓ−ＵＥ処理遅延−ｅノードＢ（ｅＮｏｄｅＢ）処理遅延−フレーム・マッピング時間−エア・インターフェース伝搬を有するＬＴＥ  ＨＡＲＱメカニズムについての８ｍｓのＲＴＴによって決定されることもあり、そこでは、リンクは、上記で規定されるようなリンク・レイテンシ値が正であるときに、低レイテンシ・リンクと考えられる。
【００３０】
一実施形態によれば、無線セルは、第１の無線セルであり、そこでは、第２のＢＢＵは、第２の無線セルにサービスしており、そこでは、第１および第２の無線セルは、スモール・セルと、マクロ・セルとのうちの一方である。この実施形態は、それが、ＨｅｔＮｅｔシステムにおいてシームレスに統合されることもあるので、有利である可能性がある。
【００３１】
一実施形態によれば、ベースバンド処理アセンブリは、第１または第２のＢＢＵのユーザ・データ・プロセッサに第１のユーザの処理タスクを割り当てるように動作可能な負荷分散器（ｌｏａｄ  ｄｉｓｔｒｉｂｕｔｅｒ）をさらに備える。
【００３２】
第１のユーザの処理タスクは、第１のユーザをＲＲＨにリンクするチャネルまたはベアラによって必要とされる処理タスクのことを意味する。
【００３３】
負荷分散器は、さらに、第１および／または第２のＢＢＵの中のユーザのグループにユーザ・パケット・スケジューラの組を割り当てるように動作可能である。
【００３４】
これは、それが、スケジューリング、ならびにユーザ処理の仮想化を組み合わせることができるので、有利である可能性がある。例えば、ユーザに関連したスケジューリング機能は、ユーザ処理機能として仮想化の主題であり、また同じ処理リソース要素に一緒に配置されることもある。
【００３５】
一実施形態によれば、リソース割り当て情報は、少なくとも１つの無線アクセス技術に従って提供される。この実施形態は、それが、既存のシステムにおいてシームレスに統合されることもあるので、有利である可能性がある。
【００３６】
一実施形態によれば、第１のユーザ・パケット・スケジューラは、
−  第１のユーザについてのスケジューリング状態情報を受信し、
−  受信されたスケジューリング状態情報を処理し、それによってチャネルの上のデータ送信のための変調スキームと、符号化スキームと、アンテナ選択とを決定し、
−  変調スキームと、符号化スキームと、アンテナ選択とを示すリソース・メッセージをセル・スケジューラに対して送信し、
−  チャネルについての無線リソース・ブロック情報と、決定されたＭＣＳとアンテナ選択とについての確認とを示す応答をセル・スケジューラから受信する
ように動作可能であり、そこでは、リソース割り当て情報は、ＭＣＳ情報と、アンテナ選択情報と、無線リソース・ブロック情報とを含む。
【００３７】
これは、それが、電気通信セルラー方式システムのユーザのための、リソースについてのコヒーレント・リソース・スケジューリングと、このようにして信頼できるスケジューリングとを提供することができるので、有利である可能性がある。
【００３８】
一実施形態によれば、第１のユーザ・パケット・スケジューラは、さらに、
−  リソース割り当て情報を使用して、チャネルを確立するために必要とされる処理リソースを決定し、
−  ベースバンド処理アセンブリのローカル・リソース・マネージャ（ＬＲＭ：Ｌｏｃａｌ  Ｒｅｓｏｕｒｃｅ  Ｍａｎａｇｅｒ）に対して、決定された処理リソースを示すリソース要求メッセージを送信し、
−  ＬＲＭからリソース認可メッセージを受信する
ように動作可能である。
【００３９】
これは、それが、処理過負荷に対して保護する防御メカニズムを提供することができるので、有利である可能性がある。
【００４０】
一実施形態によれば、セル・パケット・スケジューラは、
−  ユーザ・パケット・スケジューラの組のうちのそれぞれ割り当てられたユーザ・パケット・スケジューラからユーザのグループのうちの各ユーザについての割り付け優先順位を受信し、
−  割り付け優先順位によってユーザのグループをソートし、
−  使用可能な無線リソースが、ユーザのグループのために十分ではないという決定に応じて、最低の割り付け優先順位を有するユーザのグループのうちのユーザのサブグループを選択し、また
・サブグループのユーザを除外すること、
・ユーザのサブグループについての変調スキームと、符号化スキームとを修正すること、
・ユーザのサブグループについてのアンテナ選択を修正すること
のうちの１つを実行する
ように動作可能である。
【００４１】
一実施形態によれば、チャネルが、ダウンリンク・チャネルである場合には、受信されたスケジューリング状態情報は、第１のユーザのチャネル品質インジケータ（ＣＱＩ：ｃｈａｎｎｅｌ  ｑｕａｌｉｔｙ  ｉｎｄｉｃａｔｏｒ）を含むチャネル・ステート情報（ＣＳＩ：ｃｈａｎｎｅｌ  ｓｔａｔｅ  ｉｎｆｏｒｍａｔｉｏｎ）、必要とされる再送信の場合の否定応答（ＮＡＣＫ）インジケータ、および事前符号化行列インジケータ（ＰＭＩ：ｐｒｅｃｏｄｉｎｇ  ｍａｔｒｉｘ  ｉｎｄｉｃａｔｏｒ）と、おのおのがチャネルについての性能特性を含むチャネルについてのランク・インジケータ、すなわち、経験品質（ＱｏＥ：Ｑｕａｌｉｔｙ  ｏｆ  Ｅｘｐｅｒｉｅｎｃｅ）メトリクスと、チャネルの無線リンク制御（ＲＬＣ：Ｒａｄｉｏ  Ｌｉｎｋ  Ｃｏｎｔｒｏｌ）バッファ・サイズとを含む。
【００４２】
一実施形態によれば、チャネルが、アップリンク・チャネルである場合には、受信されたスケジューリング情報は、第１のユーザのＣＱＩを含むＣＳＩと、ＰＭＩと、第１のチャネルについてのランク・インジケータと、必要とされる再送信の場合のＮＡＣＫインジケータと、少なくとも１つのアップリンク成分キャリアについてのスケジューリング要求と、第１のユーザのバッファ・ステータス報告とを含む。
【００４３】
様々な実施形態は、上記の実施形態による、第１のベースバンド・アセンブリと、第２のベースバンド・アセンブリとを備えるマルチ・ベースバンド処理アセンブリ・システムに関し、そこでは、第１のベースバンド・アセンブリと、第２のベースバンド・アセンブリとは、第２のベースバンド・アセンブリのユーザ・パケット・スケジューラの第１の組と、第１のセル・パケット・スケジューラとの間で交換されるデータを使用して、第２のベースバンド・アセンブリのユーザ・パケット・スケジューラの第２の組と、第１のベースバンド処理アセンブリによってサービスされる第１の無線セルに対応するユーザのグループのためにリソースを割り当てるための第１のベースバンド・アセンブリのセル・パケット・スケジューラとの間で、データを交換するために、低レイテンシ・バックホール・リンクを経由してリンクされる。
【００４４】
ユーザのグループは、ユーザ・パケット・スケジューラの第１の組と、第２の組との両方に割り当てられることもあり、またこのようにして、それらは、ユーザ・パケット・スケジューラの第２の組と、セル・パケット・スケジューラとの間の交換されたデータと、ユーザ・パケット・スケジューラの第１の組と、セル・パケット・スケジューラとの間の交換されたデータとを使用して、割り当てられたリソースを獲得する。
【００４５】
様々な実施形態は、ベースバンド処理アセンブリにおける少なくとも１つのリモート無線ヘッドの信号を処理するための方法に関し、その少なくとも１つのリモート無線ヘッドは、セルラー方式通信システムの無線セルにサービスしており、そのベースバンド処理アセンブリは、ユーザ・パケット・スケジューラの組と、セル・パケット・スケジューラとを備えており、そこでは、セル・パケット・スケジューラは、無線セルに割り当てられ、そこでは、ユーザ・パケット・スケジューラの組は、無線セルに関連するユーザのグループに割り当てられ、本方法は、セル・パケット・スケジューラと、第１のユーザ・パケット・スケジューラとの間でデータを交換するステップと、リソース割り当て情報を提供するステップ、およびそのリソース割り当て情報を使用してユーザのグループのうちの第１のユーザとのチャネルを確立するステップとを含む。
【００４６】
様々な実施形態は、先行する実施形態の方法についての方法ステップを実行するコンピュータ実行可能命令を含むコンピュータ・プログラム製品に関する。
【００４７】
上述の実施形態のうちの１つまたは複数は、組み合わされた実施形態が、相互に排他的でない限り、組み合わされ得ることが、理解される。
【００４８】
以下においては、本発明の実施形態が、例だけとして、図面を参照して、より詳細に説明される。
【図面の簡単な説明】
【００４９】
【図１】第１の例示のベースバンド処理アセンブリの機能ブロック図を概略的に示す図である。
【図２】第２の例示のベースバンド処理アセンブリの機能ブロック図を概略的に示す図である。
【図３】第３の例示のベースバンド処理アセンブリの機能ブロック図を概略的に示す図である。
【図４】ダウンリンク・データをスケジュールするための方法についてのフローチャートである。
【図５】メッセージ・シーケンス・チャートを有するＤＬスケジューリング・プロセスを示す図である。
【図６】アップリンク・データをスケジュールするための方法についてのフローチャートである。
【図７】メッセージ・シーケンス・チャートを有するＵＬスケジューリング・プロセスの第１の例を示す図である。
【図８】メッセージ・シーケンス・チャートを有するＵＬスケジューリング・プロセスの第２の例を示す図である。
【発明を実施するための形態】
【００５０】
以下において、これらの図面における同様な番号の付けられた要素は、類似した要素であるか、または同等の機能を実行するかのいずれかである。上記で考察されている要素は、機能が同等である場合には、必ずしも後の図面において考察されるとは限らないであろう。
【００５１】
本開示は、スケジューラ・ベースの仮想化の概念に基づいて、モバイル・クラウドのための分散型スケジューリング・アーキテクチャを説明する。本方法は、ユーザに関連した機能と、セルに関連した機能とへのスケジューラの分割からなることもあり、ここではユーザに関連したスケジューリング機能は、ユーザ処理機能と同様に仮想化についての主題であり、また同じ処理リソースに対して配置される。
【００５２】
図１は、第１の例示のベースバンド処理アセンブリ１００の機能ブロック図を概略的に示すものである。ベースバンド処理アセンブリ１００は、少なくとも１つのリモート無線ヘッド（ＲＲＨ）１０４に接続されることもある。少なくとも１つのＲＲＨ１０４は、ＵＭＴＳシステム、ＬＴＥシステム、その組合せなどセルラー方式通信システムの無線セル１０５にサービスする。少なくとも１つのＲＲＨ１０４は、トランスミッタ（Ｔｘ）機能と、電力増幅器（ＰＡ：Ｐｏｗｅｒ  Ａｍｐｌｉｆｉｅｒ）機能と、レシーバ（Ｒｘ）機能と、アンテナ機能とを提供することができる。少なくとも１つのＲＲＨ１０４と、ベースバンド処理アセンブリ１００とは、高速光リンク（低レイテンシ・リンク）を用いて空間的に分離される。ＲＲＨ１０４は、マクロ・セル、ピコ・セル、フェムト・セルなど、異なるサイズのセルにサービスするために異なる出力電力レベルを有することができ、また屋内環境および／または屋外環境においてインストールされることもある。屋外マクロ・セル・シナリオにおいては、それぞれのＲＲＨ１０４は、比較的高い電力で駆動されることもあるのに対して、屋内シナリオにおいては、それぞれのＲＲＨ１０４は、比較的低い電力で駆動されることもある。
【００５３】
無線セル１０５は、ユーザ１０１Ａ〜Ｎのグループを含んでいる。ベースバンド処理アセンブリ１００は、少なくとも１つのリモートＲＲＨ１０４のベースバンド信号またはベアラ信号を処理するために役立つ可能性がある。そのような信号は、ユーザ１０１Ａ〜Ｎのグループに専用のチャネルを通して送信される。
【００５４】
ベースバンド処理アセンブリ１００は、ユーザ・パケット・スケジューラ１０７Ａ〜Ｍの組と、セル・パケット・スケジューラ１０９とをさらに備えることができる。セル・パケット・スケジューラ１０９は、それが、無線セル１０５のリソースをスケジュールし、または割り当てることができるという意味において、無線セル１０５に割り当てられることもある。ユーザ・パケット・スケジューラ１０７Ａ〜Ｍの組は、それらにサービスするためにユーザ１０１Ａ〜Ｎのグループに割り当てられる。例えば、各ユーザ・パケット・スケジューラは、ユーザ１０１Ａ〜Ｎのグループのうちのそれぞれのユーザにサービスすることができる。例えば、ユーザ・パケット・スケジューラ１０７Ｂは、ユーザ１０１Ａにサービスすることができる。例えば、ユーザ・パケット・スケジューラ１０７Ｂは、ユーザ１０１ＡをＲＲＨ１０４にリンクする少なくとも１つのチャネル１０２に対してユーザに関連したリソースをスケジュールすることができる。チャネル１０２は、ユーザ１０１Ａと、ＲＲＨ１０４との間でデータを搬送することができる。このようにして、スケジューリング仮想化は、実現されることもあり、ここでユーザ（またはユーザのチャネル）は、ユーザ・パケット・スケジューラ１０７Ａ〜Ｍの組のうちのユーザ・パケット・スケジューラに割り当てられることもある。
【００５５】
セル・パケット・スケジューラ１０９と、ユーザ・パケット・スケジューラ１０７Ｂとは、リソース割り当て情報を共同で提供し、またそのリソース割り当て情報を使用して、ユーザ１０１Ａとのチャネル１０２を確立するために、相互にデータを交換することができる。リソース割り当て情報は、チャネル１０２の上のデータ送信のためのＭＣＳ情報と、アンテナ選択情報と、無線リソース・ブロック情報とを含むことができる。
【００５６】
説明を簡単にするために、１つのチャネルだけが、説明されるが、しかしながら、当業者なら、本方法が、ユーザまたはユーザのグループ当たりの複数のチャネルに対して一般化され得ることを簡単に理解するであろう。
【００５７】
ベースバンド処理アセンブリ１００は、ユーザ・データ・プロセッサ１１１Ａ〜Ｍの組をさらに備えることができる。ユーザ・データ・プロセッサ１１１Ａ〜Ｍの組のうちのユーザ・データ・プロセッサは、Ｓ１の終端からＰＨＹユーザ（ＰＨＹｕｓｅｒ）までのユーザ・プロセッサ・トランスミッタ（ＵＰＴｘ：ｕｓｅｒ  ｐｒｏｃｅｓｓｏｒ  ｔｒａｎｓｍｉｔｔｅｒ）機能と、ユーザ・プロセッサ・レシーバ（ＵＰＲｘ：ｕｓｅｒ  ｐｒｏｃｅｓｓｏｒ  ｒｅｃｅｉｖｅｒ）機能とを備えることができる。ユーザ・データ・プロセッサ１１１Ａ〜Ｍの組のうちのユーザ・データ・プロセッサは、ユーザ１０１Ａ〜Ｎのグループのうちのユーザに割り当てられることもある。例えば、ユーザ・データ・プロセッサ１１１Ｂは、ユーザ１０１Ａに割り当てられて、チャネル１０２の上で送信される、例えば、ベースバンド・データまたはベアラ・データを処理することができる。
【００５８】
ベースバンド処理アセンブリ１００は、例えば、ベースバンド信号処理（ＵＰＴｘ、ＵＰＲｘ）機能と、ユーザ・パケット・スケジューラ１０７Ａ〜Ｍによって規定されるようなスケジューリング機能とを実行する処理要素１１２Ａ〜Ｍの組をさらに備えることができる。
【００５９】
ユーザ・データ・プロセッサ、ならびにユーザの組およびセル・パケット・スケジューラのユーザ１０１Ａ〜Ｎに対する割り当ては、ベースバンド処理アセンブリ１００の負荷分散器１１３によって実行されることもある。例えば、負荷分散器１１３は、ユーザ・データ・プロセッサ１１１Ｂと一緒にユーザ・パケット・スケジューラ１０７Ｂをユーザ１０１Ａのチャネル１０２に割り当てることができる。ユーザ・データ・プロセッサ１１１Ｂと一緒のユーザ・パケット・スケジューラ１０７Ｂのこの機能は、処理要素１１２Ｂに割り付けられることもある。
【００６０】
代わりに、または追加して、負荷分散器１１３は、ユーザ・データ・プロセッサ１１１Ａ〜Ｍの組のうちの複数のユーザ・データ・プロセッサと一緒にユーザ・パケット・スケジューラ１０７Ａ〜Ｍの組のうちのユーザ・パケット・スケジューラをユーザ１０１Ａ〜Ｎのグループのうちのユーザに割り当てることができる。これは、複数のベアラまたはチャネルに関連するユーザの場合とすることができ、ここで、チャネルは、１つまたは複数のチャネルについてのリソースをスケジュールするための単一のユーザ・パケット・スケジューラによって使用され得る同じフィードバック情報を共有することができる。しかしながら、各チャネルは、関連するユーザ・データ・プロセッサを必要とする可能性がある。
【００６１】
例えば、負荷分散器１１３は、同じ、または異なるユーザ・パケット・スケジューラのインスタンスとして、ユーザ・パケット・スケジューラの組を生成することにより、ユーザ・パケット・スケジューラ１０７Ａ〜Ｍの組をユーザ１０１Ａ〜Ｎのグループに割り当てることができる。インスタンスは、ユーザのグループのうちのユーザが、ＲＲＨ１０４に接続されるとすぐに、生成されることもある。
【００６２】
ユーザ・データ・プロセッサ１１１Ａ〜Ｍの組のうちのおのおのは、それぞれのユーザ特有のデータについてのユーザ・プレーン・プロトコル・スタック処理、および／または専用の制御プレーン・プロトコル・スタック処理を実行するためのエンティティとして見なされることもある。このプロトコル・スタック処理は、セル物理レイヤ（ＰＨＹ）無線フレーム処理から分離されるべきであり、そこでは、ユーザ（またはチャネル）特有のデータが、無線フレーム構造（ダウンリンク）に適合されるか、または無線フレーム構造が、複数のユーザ（またはチャネル）特有のデータ・パケットまたはストリーム（アップリンク）に分解されるかのいずれかである。ベースバンド処理アセンブリ１００の上述のプロトコル・スタック処理と、ＰＨＹセル無線フレーム処理との間のインターフェースは、無線セル１０５にサービスする少なくとも１つのリモート無線ヘッド１０４の無線トランシーバに対する、または無線トランシーバからの無線フレームのベースバンド無線フレーム構造を処理するためのセル物理レイヤ・プロセッサ１１５をさらに備えることができる。セル物理レイヤ・プロセッサ１１５は、ベースバンドから送信バンドへの変換、送信バンドからベースバンドへの変換、逆多重化、多重化、高速フーリエ変換（ＦＦＴ：Ｆａｓｔ  Ｆｏｕｒｉｅｒ  Ｔｒａｎｓｆｏｒｍ）、逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）、サイクリック・プレフィックス挿入（ＣＰＩ：Ｃｙｃｌｉｃ  Ｐｒｅｆｉｘ  Ｉｎｓｅｒｔｉｏｎ）、サイクリック・プレフィックス除去（ＣＰＲ：Ｃｙｃｌｉｃ  Ｐｒｅｆｉｘ  Ｒｅｍｏｖａｌ）、拡散、逆拡散などのグループのうちの１つまたは複数の処理ステップを実行するように動作可能とすることができる。
【００６３】
セル物理レイヤ・プロセッサ１１５は、無線フレーム構造を（逆）構成する、または（逆）多重化するためのフレーマ（デフレーマ）を備えることができる。
【００６４】
ベースバンド処理アセンブリ１００は、ＬＴＥやＵＭＴＳなど、異なる無線アクセス技術に関連する複数のセル物理レイヤ・プロセッサを備えることができる。この場合には、ユーザ・パケット・スケジューラ１０７Ａ〜Ｍの組の一部分は、所与の無線アクセス技術、例えば、ＬＴＥに割り当てられることもあり、また他の部分は、例えば、ＵＭＴＳに割り当てられることもある。それゆえに、ベースバンド処理アセンブリ１００は、マルチ・サイト／スタンダード・ベースバンド・ユニット（ＭＳＳ−ＢＢＵ）と称される可能性もある。
【００６５】
ベースバンド処理アセンブリ１００は、ユーザ・パケット・スケジューラ１０７Ａ〜Ｍの組に対するベースバンド処理アセンブリ１００のリソースを管理するためのＬＲＭ１２１をさらに備えることができる。例えば、ＬＲＭ１２１は、負荷分散器１１３の機能を備えることができる。
【００６６】
ベースバンド処理アセンブリ１００は、例えば、ＢＢＵとすることができ、そこでは、ＢＢＵは、例えば、デジタル信号プロセッサ（ＤＳＰ：Ｄｉｇｉｔａｌ  Ｓｉｇｎａｌ  Ｐｒｏｃｅｓｓｏｒ）、汎用プロセッサ（ＧＰＰ：Ｇｅｎｅｒａｌ  Ｐｕｒｐｏｓｅ  Ｐｒｏｃｅｓｓｏｒ）、および／またはプリント回路基板（ＰＣＢ：Ｐｒｉｎｔｅｄ  Ｃｉｒｃｕｉｔ  Ｂｏａｒｄ）としての任意のハードウェア・アクセラレータの形態のハードウェア・モジュールとして見なされることもある。処理要素１１２Ａ〜Ｍは、ＧＰＰと、ＤＳＰと、ＰＣＢとのうちの少なくとも１つを備えることができる。
【００６７】
図２は、第２の例示のベースバンド処理アセンブリ２００の機能ブロック図を概略的に示すものである。ベースバンド処理アセンブリ２００は、ホームＢＢＵ２００Ａと、リモートＢＢＵ２００Ｂとを備えることができる。ホームＢＢＵ２００Ａと、リモートＢＢＵ２００Ｂとは、図１を参照して説明されるベースバンド処理アセンブリ１００と、同じ構造を有することができる。ホームＢＢＵ２００Ａは、リモートＢＢＵ２００Ｂと一緒に空間的に配置され、また内部の低レイテンシ・リンク２２２を経由して互いに接続されることもある。内部の低レイテンシ・リンク２２２は、例えば、高速シリアル・リンクまたは高速周辺コンポーネント相互接続（ＰＣＩ：Ｐｅｒｉｐｈｅｒａｌ  Ｃｏｍｐｏｎｅｎｔ  Ｉｎｔｅｒｃｏｎｎｅｃｔ）バスとすることができる。
【００６８】
ホームＢＢＵ２００Ａは、セル・パケット・スケジューラ１０９と、ユーザ・パケット・スケジューラの第１の組２０７Ａ〜Ｇとを備えることができる。リモートＢＢＵ２００Ｂは、ユーザ・パケット・スケジューラの第２の組２０７Ｈ〜Ｊを備えることができる。
【００６９】
ホームＢＢＵ２００Ａは、少なくとも１つのＲＲＨ１０４の信号を処理するように動作可能である。少なくとも１つのＲＲＨ１０４は、無線セル１０５にサービスすることができる。ホームＢＢＵ２００Ａは、ユーザ・データ・プロセッサ２１１Ａ〜Ｇの第１の組をさらに備えることができる。リモートＢＢＵ２００Ｂは、ユーザ・データ・プロセッサ２１１Ｈ〜Ｊの第２の組をさらに備えることができる。
【００７０】
ホームＢＢＵ２００Ａは、処理要素２１２Ａ〜Ｇの第１の組をさらに備えることができる。リモートＢＢＵ２００Ｂは、処理要素２１２Ｈ〜Ｊの第２の組をさらに備えることができる。
【００７１】
ベースバンド処理アセンブリ２００は、負荷分散器２１３をさらに備えることができる。負荷分散器２１３は、ユーザ・データ・プロセッサ、ならびにホームＢＢＵ２００Ａおよび／またはリモートＢＢＵ２００Ｂのユーザ・スケジューラをユーザ１０１Ａ〜Ｎに割り当てることができる。例えば、負荷分散器２１３は、ホームＢＢＵ２００Ａのユーザ・データ・プロセッサ２１１Ｂと一緒に、ユーザ・パケット・スケジューラ２０７Ｂをユーザ１０１Ａのチャネル１０２に割り当てることができる。代わりに、負荷分散器２１３は、リモートＢＢＵ２００Ｂのユーザ・データ・プロセッサ２１１Ｈと一緒にユーザ・パック・スケジューラ２０７Ｈをユーザ１０１Ａのチャネル１０２に割り当てることができる。これは、リモートＢＢＵ２００Ｂが、ホームＢＢＵ２００Ａよりも多くの使用可能な処理要素を有することができることによって動機づけられることもある。
【００７２】
第２の例示のアセンブリ２００を用いて、ユーザ（またはユーザのチャネル）がＢＢＵ２００Ａおよび２００Ｂのうちの一方についてのユーザ・パケット・スケジューラによってサービスされることもある場合に、スケジューリング仮想化が、実現される可能性がある。スケジューリング仮想化は、ユーザに対するユーザ・パケット・スケジューラと、ユーザ・データ・プロセッサとの組み合わされた割り当てを実行することにより、ユーザ処理タスク仮想化と組み合わされることもある。
【００７３】
負荷分散器２１３はまた、ホームＢＢＵ２００Ａの処理要素２１２Ａ〜Ｇに、ユーザ・パケット・スケジューラ２０７Ａ〜Ｇの第１の組と、ユーザ・データ・プロセッサ２１１Ａ〜Ｇの第１の組とについての機能を割り当てることもできる。負荷分散器２１３はまた、リモートＢＢＵ２００Ｂの処理要素２１２Ｈ〜Ｊに、ユーザ・パケット・スケジューラ２０７Ｈ〜Ｊの第２の組と、ユーザ・データ・プロセッサ２１１Ｈ〜Ｊの第２の組とについての機能を割り当てることもできる。
【００７４】
負荷分散器２１３はまた、分散されたクラウド制御装置（ＤＣＣ：ｄｅｃｅｎｔｒａｌｉｚｅｄ  ｃｌｏｕｄ  ｃｏｎｔｒｏｌｌｅｒ）と見なされることもあり、この分散されたクラウド制御装置は、ユーザ・パケット・スケジューラのクラウドにおいて分散をスケジュールする際に、またさらに、ユーザ・データ・プロセッサのクラウドにおける負荷バランシングと、処理容量分散とのために、使用されることもある。
【００７５】
ベースバンド処理アセンブリ２００は、ルータ／アドレス・ディスパッチャ（Ｒｏｕｔｅｒ／Ａｄｄｒｅｓｓ  Ｄｉｓｐａｔｃｈｅｒ）２２７を経由して、無線ネットワーク制御装置（ＲＮＣ：Ｒａｄｉｏ  Ｎｅｔｗｏｒｋ  Ｃｏｎｔｒｏｌｌｅｒ）と、モビリティ管理エンティティ（ＭＭＥ：Ｍｏｂｉｌｉｔｙ  Ｍａｎａｇｅｍｅｎｔ  Ｅｎｔｉｔｙ）と、サービング・ゲートウェイ（ＳＧＷ：Ｓｅｒｖｉｎｇ  Ｇａｔｅｗａｙ）２２１とに接続されることもある。ルータ／アドレス・ディスパッチャ・エンティティ２２７は、負荷分散に従って、ＢＢＵ２００Ａおよび２００Ｂに対して、直接的なやり方で、Ｓ１−Ｕと、Ｓ１−ＭＭＥと、ｌｕｂユーザまたはベアラ特有のパケットとをルーティングすることができる。
【００７６】
図３は、第３の例示のベースバンド処理アセンブリ３００の機能ブロック図を概略的に示すものである。ベースバンド処理アセンブリ３００は、リモート・ベースバンド処理アセンブリ３０１に接続されているベースバンド・アセンブリ２００を備えることができる。リモート・ベースバンド処理アセンブリ３０１は、ベースバンド・アセンブリ２００に類似している。リモート・ベースバンド処理アセンブリ３０１は、リモートＢＢＵ３０１Ｃを備える。
【００７７】
リモートＢＢＵ３０１Ｃは、ユーザ・パケット・スケジューラの第３の組２０７Ｋ〜Ｍを備えることができる。リモートＢＢＵ３０１Ｃは、ユーザ・データ・プロセッサ２１１Ｋ〜Ｍの第３の組をさらに備えることができる。リモートＢＢＵ３０１Ｃは、プロセッサ要素２１２Ｋ〜Ｍの第３の組をさらに備えることができる。
【００７８】
ベースバンド処理アセンブリ２００は、ベースバンド処理アセンブリ２００をリモート・ベースバンド処理アセンブリ３０１に接続するインターフェース３１９を備えることができる。インターフェース３１９は、例えば、３ＧＰＰによって規定されるべき機能強化されたＸ２インターフェースなどの基地局間インターフェースとすることができる。ベースバンド処理アセンブリ２００は、次いで、機能強化されたＸ２リンクを経由して、ベースバンド処理アセンブリ２００に物理的に接続されることもある。機能強化されたＸ２リンクは、低レイテンシ・リンクとすることができる。機能強化されたＸ２（ｅＸ２）リンクのレイテンシは、初期化フェーズ中に測定され、またオペレーション手続き中に、洗練されることもある。推定されたレイテンシは、許可された移送レイテンシ（初期化フェーズ中に測定される測定されたフロントホール・レイテンシ）の範囲内にある可能性がある。
【００７９】
負荷分散器２１３は、ユーザ１０１Ａ〜Ｎに、ユーザ・データ・プロセッサ、ならびにホームＢＢＵ２０１Ａ〜２０１Ｂおよび／またはリモートＢＢＵ３０１Ｃのユーザ・スケジューラを割り当てることができる。例えば、負荷分散器２１３は、ユーザ１０１Ａのチャネル１０２に、ホームＢＢＵ２０１Ａのユーザ・データ・プロセッサ２１１Ｂと一緒にユーザ・パケット・スケジューラ２０７Ｂを割り当てることができる。代わりに、負荷分散器２１３は、ユーザ１０１Ａのチャネル１０２に、リモートＢＢＵ２０１Ｂのユーザ・データ・プロセッサ２１１Ｇと一緒にユーザ・パック・スケジューラ２０７Ｇを割り当てることもできる。代わりに、負荷分散器２１３は、ユーザ１０１Ａのチャネル１０２に、リモートＢＢＵ３０１Ｃのユーザ・データ・プロセッサ２１１Ｋと一緒にユーザ・パック・スケジューラ２０７Ｋを割り当てることもできる。このようにして、負荷分散器２１３は、仮想概念に基づいて、リソースを分散させることができ、ここでユーザ・パケット・スケジューラ２０７Ａ〜Ｍは、仮想エンティティとして見なされることもあり、この仮想エンティティにおいては、ＵＬならびにＤＬについての専用のユーザ・スケジューリングが、起こる。
【００８０】
負荷分散器２１３はまた、リモートＢＢＵ３０１Ｃの処理要素３１２Ｋ〜Ｍに、ユーザ・パケット・スケジューラ３０７Ｋ〜Ｍの第３の組と、ユーザ・データ・プロセッサ３１１Ｋ〜Ｍの第３の組とについての機能を割り当てることもできる。
【００８１】
ＢＢＵ３０１Ｃによってサービスされる無線セル１４５が、ユーザ１４１Ａ〜１４１Ｎを備えるピコ・セル、例えば、一体化されたメトロ・セルである場合には、ＢＢＵ２００Ａおよび２００Ｂは、ユーザ１４１Ａ〜１４１Ｎにより、マクロ・セル１０５にサービスするリモートＢＢＵとして見られることもあり、またＢＢＵ３０１Ｃは、ユーザ１４１Ａ〜Ｎにより、ホームＢＢＵとして見られることもある。このアーキテクチャは、そのときには、ＨｅｔＮｅｔシステムを表すことができる。ＨｅｔＮｅｔでは、ホームＢＢＵ３０１Ｃの中のトラフィックの一部分は、リモートＢＢＵ２００Ａおよび２００Ｂに対してオフロードされることもある。ベースバンド処理アセンブリ２００は、オフロードされていないユーザ・パケット・スケジューラ２０７Ａ〜ＪのＳ１データについてのリレーとしての機能を果たすことができる。ＬＴＥについてのＰＨＹセル・エンティティ１１５は、リモートＢＢＵ１００ＡのＰＨＹセル信号に対して／ＰＨＹセル信号から、ユーザ・データ・プロセッサを用いて、無線フレーム構造（例えば、Ｓ１データ信号の）を多重化するためのフレーマを備えることができる。この場合には、ホームＢＢＵ３０１Ｃは、ＲＲＨ１０６（ＲＲＨ１０４のような）を含むことができ、このＲＲＨの信号は、ホームＢＢＵ３０１Ｃによって処理される。
【００８２】
図４は、例えば、チャネル１０２についてのダウンリンク・データをスケジュールするための方法についてのフローチャートを示すものである。スケジューリングは、ユーザ・パケット・スケジューラ（例えば、２０７Ｂ）と、セル・パケット・スケジューラ１０９との間で共同で調整され、また提供される。ユーザ・パケット・スケジューラは、例えば、リモートＢＢＵの中にあることもあるが、セル・パケット・スケジューラは、ホームＢＢＵの中にある。代わりに、ユーザ・パケット・スケジューラと、セル・パケット・スケジューラとは、同じＢＢＵの中にある可能性もある。
【００８３】
説明を簡単にするために、スケジューリング調整は、以下において、ユーザ・パケット・スケジューラ２０７Ｂと、セル・パケット・スケジューラ１０９との間で説明される。しかしながら、そのようなスケジューリング調整はまた、ユーザに対する割り当てられたユーザ・パケット・スケジューラのおのおのと、セル・パケット・スケジューラとの間で適用される。
【００８４】
ユーザ・パケット・スケジューラ２０７Ｂは、ユーザ１０１Ａについてステップ４０１においてスケジューリング状態情報を受信することができる。例えば、チャネル１０２のセットアップ中に、ユーザ・パケット・スケジューラ２０７Ｂは、ステップ４０１Ａにおいて、チャネル１０２についてのＱＣＩをユーザ・パケット・スケジューラ２０７Ｂに関連するＬＲＭ１２１Ａから受信することができる。チャネル１０２Ａが、ＧＢＲチャネルである場合に、ＱＣＩは、例えば、サービスのサービス品質レベルを達成するために必要とされる認可された最小ビットレートを含むことができる。チャネル１０２Ａが、ＧＢＲチャネルまたはＮＧＢＲチャネルである場合には、ＱＣＩは、サービスのサービス品質レベルを達成するために必要とされる最大パケット・エラー・レートをさらに含むこともできる。ＱＣＩは、そこから許容されたＲＡＮレイテンシが導き出され得る最大エンド・ツー・エンド・パケット遅延をさらに含むことができる。ステップ４０１Ｂにおいて、ユーザ・パケット・スケジューラ２０７Ｂは、チャネル１０２についてのチャネル品質インジケータ、ＣＱＩと、ＰＭＩと、ランク・インジケータとを含めて、チャネル・ステート情報、ＣＳＩ、をユーザ処理ユニット２１１Ｂから受信することができる。ユーザ・パケット・スケジューラ２０７Ｂは、さらに、必要とされる再送信の場合に、ユーザ・プロセッサ・ユニット２１１Ｂを経由して、ユーザ１０１ＡからＮＡＣＫインジケータを受信することもできる。ユーザ・パケット・スケジューラ１０７Ｂは、さらに、ＱＣＩ定義に従って、チャネル１０２についての性能特性を含むＱｏＥメトリクスをユーザ・データ・プロセッサ２１１Ｂから受信することもできる。ＱｏＥメトリクスは、例えば、送信ビットレート、または受信ビットレートの形の許容された偏差しきい値を含むことができる。さらに、ユーザ・パケット・スケジューラ２０７Ｂは、ユーザ・データ・プロセッサ２１１ＢのＲＬＣバッファについての使用されたＲＬＣバッファ・サイズをユーザ・データ・プロセッサ２１１Ｂから受信することができる。
【００８５】
例えば、ＲＡＮレイテンシは、データのパケットが、例えば、リンク相互作用ポイント１３１（図３）から開始されるソースから宛先へと移動するためにかかる時間と、例えば、リンク・ポイント１３３（図３）に到着する、ソースにおけるデータのパケットについての受信肯定応答を宛先から受信するためにかかる時間とを加えたもののことを意味する可能性がある。
【００８６】
ステップ４０３において、ユーザ・パケット・スケジューラ２０７Ｂは、受信されたスケジューリング状態情報を処理して、例えば、ユーザ１０１Ａについてのユーザ優先順位を取得することができる。ユーザ優先順位は、例えば、要求された遅延（受信されたＱＣＩによって示される）と、現在のパケット遅延を比較することにより、かつ／または最小の認可されたビットレートと現在のビットレートを比較することにより、取得されることもある。これらの比較は、要求された値または推奨された値（例えば、ＱｏＥによって決定されるような）に対する１つまたは複数の偏差値をもたらす可能性があり、また偏差が大きくなればなるほど、高い優先順位が、ユーザ１０１Ａに割り当てられる。処理はまた、周波数選択的スケジューリングをサポートするＣＱＩ周波数応答を使用したプロポーショナル・フェア型（ＰＦ：Ｐｒｏｐｏｒｔｉｏｎａｌ  Ｆａｉｒ）重みの算出を含むこともできる。次いで、ユーザ・パケット・スケジューラ２０７Ｂは、前記処理結果を使用して、ＣＱＩを使用した変調スキームおよび符号化スキームと、ＰＭＩとＲＩとを使用した、チャネル１０２の上のデータ送信のためのアンテナ選択とを決定することができる。
【００８７】
ステップ４０５において、ユーザ・パケット・スケジューラ２０７Ｂは、変調スキーム、符号化スキーム、およびアンテナ選択、ならびにユーザ・データ・プロセッサ２１１Ｂの使用されたＲＬＣバッファ・サイズを示すリソース・メッセージをセル・パケット・スケジューラ１０９に対して送信することができる。リソース・メッセージは、ユーザ１０１Ａの割り付け優先順位と、チャネル１０２についてのＣＳＩと、ＨＡＲＱ再送信インジケータ（再送信が必要とされる場合だけに）とを示すこともできる。
【００８８】
ステップ４０７において、無線セル１０３の使用可能なリソースに応じて、セル・パケット・スケジューラ１０９は、セル・パケット・スケジューラ１０９が、関連するユーザ・パケット・スケジューラからスケジューリング状態情報を受信したユーザ１０１Ｂ〜１０１Ｎの残りのためと同様に、ユーザ１０１Ａのチャネル１０２のために、物理リソース・ブロック（ＰＲＢ：ｐｈｙｓｉｃａｌ  ｒｅｓｏｕｒｃｅ  ｂｌｏｃｋｓ）を割り付けることができる。
【００８９】
ホームＢＢＵと、リモートＢＢＵとの内部のエンティティは、タイム・ドメインにおいて、同期させられることもある。ユーザ・レベル（ユーザ・パケット・スケジューラ）と、セル・レベル（セル・パケット・スケジューラ）との上でスケジューラ部分の同期した開始を可能とする同期化メカニズムが、実装されることもあり、ここでは、基準は、セル・パケット・スケジューラについてのセル信号のタイミング（ここでＴＴＩが、開始される）とすることができる。
【００９０】
例えば、すべてのユーザ１０１Ａ〜Ｎについての十分なＰＲＢグループが、存在する場合には、セル・パケット・スケジューラ１０９は、ステップ４０９において、セル・パケット・スケジューラ１０９が、リソース情報を受信した送信元のそれぞれのユーザ・パケット・スケジューラに対して、例えば、２０７Ｂに対して、応答メッセージを戻す。応答メッセージは、ユーザ・スケジューラからの提案の受け入れとして、受信されたＭＣＳと、アンテナ選択との確認を示すことができる。メッセージは、さらに、チャネル１０２についてのＰＲＢ割り付けと、それがそのスケジュールされたデータを見出すことができる場合のユーザ１０１Ａに対して示すために使用されるＰＤＣＣＨのために適用されるべきＣＣＥ割り付けとを示すことができる。
【００９１】
表現「十分なＰＲＢグループ」は、ＣＱＩ要件と、ＭＣＳ要件と、アンテナ選択要件とを満たす、タイム・ドメインおよび周波数ドメインにおけるＰＲＢの最小数のことを意味する。
【００９２】
しかしながら、すべてのユーザ１０１Ａ〜Ｎについての十分なＰＲＢグループが、存在しない場合には、セル・パケット・スケジューラ１０９は、ステップ４１１において、割り付け優先順位により、ユーザ１０１Ａ〜Ｎをソートすることができ、またステップ４１３において、最低の優先順位を有する、除外され、または降格されるべき、ユーザ１０１Ａ〜Ｎのうちのユーザのサブグループを選択することができる。次に、ステップ４１５において、セル・パケット・スケジューラ１０９は、それらのデータのスケジューリングも処理もどちらも実行されるべきでないように、サブグループのユーザを除外することと、ＰＲＢの使用を低減させること、およびユーザのサブグループのためにＭＣＳを適応させることと、より低い優先順位のユーザのためにより低いＰＲＢの使用を達成するようにアンテナ選択を修正することとのうちの１つを実行することができる。例えば、セル・パケット・スケジューラ１０９は、ＰＲＢが、十分であり、またＱｏＳが、まだ影響を受けないときまで、最低の割り付け優先順位を有するユーザを除外することができる。
【００９３】
ステップ４１７において、セル・パケット・スケジューラ１０９は、修正されたリソースを示すリソース・メッセージの修正をユーザ・パケット・スケジューラに対して送信することができる。
【００９４】
ユーザ・パケット・スケジューラ２０７Ｂが、セル・パケット・スケジューラ１０９からリソースに関する応答メッセージを受信するとすぐに、ユーザ・パケット・スケジューラ２０７Ｂは、ステップ４１９において、リソース割り当て情報を使用してチャネル１０２を確立するために必要とされる処理リソースを決定し、またステップ４２１において、十分な処理容量が存在するかどうかを検査するために、必要とされた処理リソースを示すＵＰ処理努力推定値をベースバンド・バンド・ユニット２０１ＡのＬＲＭ１２１Ａに対して送信する。
【００９５】
さらに、低減された処理努力についての表示は、パラメータの組に対応することを必要としており、ここでは、ＱｏＥパラメータ（例えば、保証されたビットレートおよびレイテンシ）は、まさに満たされており、またデータ無線ベアラが、ＧＢＲアプリケーションまたはＮＧＢＲアプリケーションを搬送するかどうかの表示は、ユーザ・スケジューラによってＬＲＭに対して送信される。
【００９６】
それは、決定されたリソースまたは割り付けられるべきリソースが、ＱｏＥメトリクスのうちの少なくとも一部分を実現していることを検証することである。すべてのユーザ・パケット・スケジューラから、必要とされた処理容量を受信した後に十分な処理容量がある場合には、ＬＲＭ１２１Ａは、ステップ４２３において、ユーザ・パケット・スケジューラ２０７Ｂに対して処理推定確認メッセージを返信する提案を受け入れる。
【００９７】
十分でない処理容量の場合には、ＬＲＭ１２１Ａは、ステップ４２５において、ＱｏＥとＧＢＲ／ＮＧＢＲの認識とを満たしながら、処理の必要性についての降格をトリガし、またステップ４２７において、ユーザ・パケット・スケジューラ２０７Ｂに対して処理推定修正メッセージを返信する。処理推定修正メッセージは、ユーザ・パケット・スケジューラ２０７Ｂによって決定される（または推定される）処理リソースの修正を示す。
【００９８】
それらの関連するＬＲＭからフィードバックを受信した後に、ユーザ・スケジューラは、割り付けられた処理容量（例えば、ＰＲＢ）に対してマッチしたＭＣＳおよびアンテナ・マッピングの洗練を開始する。この洗練の後に、ユーザ・パケット・スケジューラは、関連するユーザ・データ・プロセッサに対して最後のＭＣＳと、アンテナ・マッピングと、ＰＲＢおよびＣＣＥの割り付けとを転送しており、またＤＬスケジューリング処理は、図５を参照して説明されるように、継続することができる。
【００９９】
ステップ４０１Ｂ〜４２７は、ＲＬＣバッファが、ユーザ１０１Ａのためのバッファの中のデータを示す場合のＴＴＩ当たりの動作スケジューリング・フェーズ中に定期的に反復される可能性があり、そこでは、スケジューリング状態情報はまた、オペレーション・スケジューリング・フェーズ中にユーザ１０１Ａから定期的に受信される。
【０１００】
図５の中には、低レイテンシ・リンクを経由して接続されたホームＢＢＵと、リモートＢＢＵとが、概略的に示されている。この例においては、２つのＵＰが、ホームＢＢＵに配置されており、また２つのＵＰが、リモートＢＢＵに配置されている。一般的な場合には、これはまた、おのおのが、低レイテンシ・リンクを経由してホームＢＢＵに接続される、１つのホームＢＢＵと、いくつかのリモートＢＢＵとの間の相互作用とすることもできる。
【０１０１】
このスケジューラ・プロセスの（最後のＭＣＳと、アンテナ・マッピングと、ＰＲＢとを提供するための）準備フェーズと、調整フェーズとは、既に図４を参照して説明されており、また４つのＵＰのうちのおのおのと、セル・パケット・スケジューラとの間で適用されることもある。
【０１０２】
最後のＭＣＳと、アンテナ・マッピングと、ＰＲＢおよびＣＣＥの割り付けとを受信した後に、ＵＰは、ＤＬデータの処理を開始しており、このＤＬデータは、次いで、セル物理レイヤ・プロセッサ１１５のフレーマに対して、ＰＲＢおよびＣＣＥの割り付けについての帯域内情報とともに配信されることもある（ステップ５０１）。ホームＢＢＵと、リモートＢＢＵとからの受信されたデータを使用して、セル物理レイヤ１１５のフレーマは、ＰＤＳＣＨと、ＰＤＣＣＨとを生成し、またそれらをユーザに対して送信することができるようになることもある。このプロシージャは、ユーザ１０１Ａ〜Ｎのうちの各ユーザについて８つまでのＨＡＲＱプロセスのために行われる可能性がある。
【０１０３】
最後の８ｍｓの後に、ＡＣＫ／ＮＡＣＫが、ユーザから期待される（ステップ５０３）。ＮＡＣＫの場合には、ユーザ・データ・プロセッサは、影響を受けたＨＡＲＱプロセスについての再送信を可能にすることができ、またスケジューリング・プロセスは、ステップ４０１Ｂの先頭から開始される。
【０１０４】
図６は、例えば、チャネル１０２についてのアップリンク・データをスケジュールするための方法についてのフローチャートを示すものである。スケジューリングは、ユーザ・パケット・スケジューラ（例えば、２０７Ｂ）と、セル・パケット・スケジューラ１０９との間に共同で調整され、また提供される。ユーザ・パケット・スケジューラは、例えば、リモートＢＢＵの中にあることもあるが、セル・パケット・スケジューラは、ホームＢＢＵの中にある。代わりに、ユーザ・パケット・スケジューラと、セル・パケット・スケジューラとは、同じホームＢＢＵの中にあることもある。
【０１０５】
説明を簡単にするために、スケジューリングの調整は、以下において、ユーザ・パケット・スケジューラ２０７Ｂと、セル・パケット・スケジューラ１０９との間で、説明される。しかしながら、そのようなスケジューリングの調整はまた、ユーザに対する割り当てられたユーザ・パケット・スケジューラのうちのおのおのと、セル・スケジューラとの間で適用されることもある。
【０１０６】
ユーザ・パケット・スケジューラ２０７Ｂは、ステップ６０１において、ユーザ１０１Ａについてのスケジューリング状態情報を受信することができる。例えば、チャネル１０２のセットアップ中に、ユーザ・パケット・スケジューラ２０７Ｂは、ステップ６０１Ａにおいて、ユーザ・パケット・スケジューラ２０７Ｂに関連するＬＲＭ１２１Ａからチャネル１０２についてのＱＣＩを受信することができる。初期のスケジューリング・フェーズ中に、ユーザ・パケット・スケジューラ２０７Ｂは、ステップ６０１Ｂにおいて、ユーザ１０１Ａからユーザ・データ・プロセッサ２１１Ｂを経由してスケジューリング要求を受信することができる。ユーザ・パケット・スケジューラ２０７Ｂは、さらに、ユーザ・データ・プロセッサ２１１Ｂからチャネル１０２についてのチャネル品質インジケータ、ＣＱＩ、と、ＰＭＩと、ランク・インジケータとを含むチャネル・ステート情報、ＣＳＩ、を受信することができる。ユーザ・パケット・スケジューラ２０７Ｂは、ユーザ１０１Ａによる必要とされる再送信の場合に、ユーザ・プロセッサ・ユニット２１１Ｂから否定応答、ＮＡＣＫ、インジケータをさらに受信することができる。ユーザ・パケット・スケジューラ２０７Ｂは、さらに、おのおのがチャネル１０２についての性能特性を含むＱｏＥメトリクスをユーザ・データ・プロセッサ２１１Ｂから受信することができる。さらに、ユーザ・パケット・スケジューラ２０７Ｂは、動作スケジューリング・フェーズ中に、ＵＥバッファ・ステータスをユーザ・データ・プロセッサ２１１Ｂから受信することができる。
【０１０７】
ステップ６０３において、ユーザ・パケット・スケジューラ２０７Ｂは、受信されたスケジューリング状態情報を処理することができる。その処理は、例えば、受信されたＱＣＩが、ＳＲおよびＵＥのバッファ・ステータスからの情報を使用して、ＱｏＥメトリクス要件を満たすかどうかを決定するステップを含むことができる。処理はまた、周波数選択的スケジューリングをサポートするＣＱＩ周波数応答を用いたＰＦ重みの算出を含むこともできる。次いで、ユーザ・パケット・スケジューラ２０７Ｂは、前記処理結果を使用して、ＣＱＩを使用した変調スキームおよび符号化スキームと、ＰＭＩとＲＩとを使用したチャネル１０２の上のデータ送信のためのアンテナ選択とを決定することができる。
【０１０８】
ステップ６０５〜６２７は、それぞれステップ４０５〜４２７と同じである。
【０１０９】
ステップ６０１Ｂ〜６２７は、ユーザ（例えば、１０１Ａ）が、動作スケジューリング・フェーズの中にある限り、それが、このチャネル１０２についてのバッファの中のデータを示す限り、定期的に反復される。
【０１１０】
図７の中に、低レイテンシ・リンクを経由してリンクされるホームＢＢＵと、リモートＢＢＵとの間の相互作用が、示される。この例では、１つのＵＰが、ホームＢＢＵに配置され、また１つのＵＰが、リモートＢＢＵに配置される。一般的な場合には、これは、おのおのがホームＢＢＵとのレイテンシ・リンクを経由してリンクされる１つのホームＢＢＵと、いくつかのリモートＢＢＵとの間の相互作用である可能性もある。
【０１１１】
ダウンリンクの場合におけるように、ユーザ・パケット・スケジューラは、データ無線ベアラのセットアップ中に対応するＬＲＭからＱＣＩ値（図示されず）を受信する。
【０１１２】
ＵＬスケジューリング初期プロセスは、セル物理レイヤ・プロセッサ１１５のデフレーマからのＵＰＲｘにおける、ユーザからのＳＲの受信とともに、開始され、これは、対応するユーザ・パケット・スケジューラに対して転送される。このスケジューラ・プロセスの準備および調整のフェーズは、既に、図６を参照して、説明されており、この図中には、初期のスケジューリング・フェーズが、示されている。
【０１１３】
最後のＭＣＳと、アンテナ・マッピングと、ＰＲＢ割り付けとを含むＵＬスケジューリング認可を受信した（ステップ７０１）後に、ＵＰＴｘ部分は、ＰＤＣＣＨについての符号化されたＵＬスケジューリング認可を処理しており、このＰＤＣＣＨは、次いで、フレーマに対して配信されることになる。ホームＢＢＵと、リモートＢＢＵとからのすべてのこれらの信号を用いて、フレーマは、ＤＰＣＣＨを生成し、またそれをＵＥに対して送信することができる（７０３）。このプロシージャは、各ＵＥごとに８つのＨＡＲＱプロセスについて行われることもある。
【０１１４】
図８の中には、最後の８ｍｓの後の動作フェーズが、説明されており、ＵＬデータと、バッファ・ステータスとが、ＵＥから期待され、またデフレーマからＵＰＲｘへと転送され（８０１）、このＵＰＲｘは、次いで、ＵＥバッファ・ステータスをユーザ・パケット・スケジューラに対して配信し（ステップ８０３）、またＡＣＫまたはＮＡＣＫをＵＰＴｘに対して配信する。ＮＡＣＫの場合には、再送信が、トリガされるであろう。ユーザ・パケット・スケジューラは、この動作フェーズ中にも上記で（例えば、ＱＣＩ受信以外には図６を参照して）説明されるように、同じスケジューリング調整プロセスを開始する。
【０１１５】
ＵＰＴｘは、ＡＣＫ／ＮＡＣＫと、この場合にも符号化されたＵＬスケジューリング認可とをフレーマを経由してＵＥに対して送信する。スケジューリング認可は、ＤＰＣＣＨの中に挿入され、またＡＣＫ／ＮＡＣＫは、フレーマによってＰＨＩＣＨの中に挿入されるであろう。このプロシージャは、ＵＥが、動作スケジューリング・フェーズの中にある限り、それが、このデータ無線ベアラ（ＤＲＢ：Ｄａｔａ  Ｒａｄｉｏ  Ｂｅａｒｅｒ）についてのバッファの中のデータを示す限り、進行する。
【符号の説明】
【０１１６】
１００  ベースバンド処理アセンブリ
１０１  ユーザ
１０２  チャネル
１０４  ＲＲＨ
１０５  セル
１０６  ＲＲＨ
１０７、２０７、３０７  ユーザ・パケット・スケジューラ
１０９  セル・パケット・スケジューラ
１１１、２１１、３１１  ユーザ・データ・プロセッサ
１１２、２１２、３１２  処理要素
１１３  負荷分散器
１１５  物理セル・レイヤ・プロセッサ
１２１  ＬＲＭ
１４１  ユーザ
１４２  チャネル
２００、３００  ベースバンド処理アセンブリ
２００Ａ〜Ｂ  ＢＢＵ
２１３  負荷分散器、ＤＣＣ
２２１  ＭＭＥ
２２２  リンク
２２７  ルータ
３０１  ベースバンド処理アセンブリ
３０１Ｃ  ＢＢＵ
３１３  負荷分散器
３１９  インターフェース
【図１】
2016532403.tif 000003
【図２】
2016532403.tif 000004
【図３】
2016532403.tif 000005
【図４】
2016532403.tif 000006
【図５】
2016532403.tif 000007
【図６】
2016532403.tif 000008
【図７】
2016532403.tif 000009
【図８】
2016532403.tif 000010
【国際調査報告】
2016532403.tif 000011
2016532403.tif 000012
2016532403.tif 000013